(57)【要約】【課題】  タイル表示システムで通常の画像を表示しながら各表示装置を調整する。【解決手段】  映像表示システムの各表示装置は、複数の表示フレームを与える表示データを受信して、表示フレームを順次表示する。表示データ中の表示フレームを、順次表示されるべき表示内容フレームＦ1、Ｆ3、Ｆ4とするか、複数の表示装置の間の表示特性を調整するための調整用画像フレームＦ2とするかを切り替えて、表示部へ順次送信される表示フレームの系列Ｆ1〜Ｆ4に調整用画像のフレームＦ2を埋め込む。そして、表示装置の表示部の映像を撮影して、各表示装置を調整する。【選択図】        図３
2007065099.tif 000002
【特許請求の範囲】
【請求項１】
配列された複数の表示装置を備えて一画面を構成する映像表示システムであって、
各表示装置は、複数の表示フレームを与える表示データまたは表示信号を受信して、該表示フレームを順次表示することができ、
前記表示データまたは表示信号による表示フレームを、複数の表示装置の間の表示特性を調整するための調整用画像フレームに切り替えて、前記表示装置において順次表示される前記表示フレームの系列に前記調整用画像のフレームを埋め込む切替手段を備えている映像表示システム。
【請求項２】
請求項１に記載の映像表示システムと、
前記映像表示システムに含まれる表示装置の少なくともいくつかの映像を撮影することができる撮像装置と、
該撮像装置によって撮影された映像に含まれている調整用画像の撮影フレームを保存するための記憶手段と、
該調整用画像の撮影フレームのデータに基づいて診断された各表示装置の表示特性に応じて、各表示装置の設定を制御する制御手段と
を含む、映像表示システムの管理システム。
【請求項３】
前記撮影装置は、前記表示装置が表示する映像フレームに同期してフレームごとに撮影を行う、請求項２に記載の管理システム。
【請求項４】
前記記憶手段にある撮影フレームのデータに所定の画像処理を施す画像処理手段をさらに備える請求項２に記載の映像表示システムの管理システム。
【請求項５】
配列された複数の表示装置を備えて一画面を構成する映像表示システムの表示調整方法であって、
表示データまたは表示信号を前記映像表示システムによって受信するステップと、
映像表示システムが、前記表示データまたは表示信号による表示フレームを、複数の表示装置の間の表示特性を調整するための調整用画像フレームに切り替えて、前記表示装置において順次表示される前記表示フレームの系列に前記調整用画像のフレームを埋め込むステップと、
各表示装置によって、調整用画像のフレームが埋め込まれた表示フレームを与える表示データまたは表示信号を受信して、該表示フレームを順次表示するステップと、
前記調整用画像フレームを含む映像を撮像装置により撮影するステップと、
該撮像装置によって撮影された映像に含まれている前記調整用画像の撮影フレームを記録するステップと、
記録された該調整用画像の撮影フレームのデータに基づいて、前記複数の表示装置それぞれの表示特性を診断するステップと、
診断した表示特性に応じて、各表示装置の設定を制御するステップと
を含む、表示調整方法。
【請求項６】
前記撮影するステップは、前記表示装置が表示する映像フレームに同期してフレームごとに撮影するステップである、請求項５に記載の表示調整方法。
【発明の詳細な説明】
【技術分野】
【０００１】
本発明は、複数の表示装置を使用して一つの表示を実現する表示装置を構成するタイル表示を行う映像表示システムに関し、特に、各表示装置から表示の設定に関するデータを得たり各表示装置を調整する映像表示システムに関する。
【背景技術】
【０００２】
従来、複数の表示装置をタイル状に配置して一つの表示を実現するタイル表示システムが知られている。このタイル表示システムは、タイリング・ディスプレイ・システム、または、マルチスクリーン・システムとも呼ばれることがある。タイル表示システムにおいては、個々の表示装置の表示特性が均一にならずにばらつく場合がある。このような場合にタイル表示システム全体を用いて一つの大きな画像を表示すると、表示装置の表示特性の違いによってモザイク状の模様が観察されてしまう。そのため、表示品位を向上させるためには、個々の表示装置を調整してタイル表示システム全体の表示特性を均一化するように補正する必要がある。
【０００３】
具体的には、タイル表示システムは、設置する際に各表示装置の表示特性を均一にするために調整を行ったり、設置後に時間の経過にともなって不均一になった特性を再度調整するといった調整作業が必要になる。こうして、タイル表示システム全体で一つの画像を表示した際にモザイク状の模様が観察されないようにする。これらの調整の手順は、まず、表示装置に調整用画像を表示する。そして、目視あるいは測定器を用いて各表示装置の表示特性を確認して診断する。そして、この診断結果に基づき個々の表示装置を調整する。特許文献１には、カメラを用いてマルチディスプレイの輝度および色を調整する手法が開示されている。
【特許文献１】特開平０８−９４０６号公報
【発明の開示】
【発明が解決しようとする課題】
【０００４】
上記の従来の調整手法では、調整用画像を表示している間は、調整用画像だけが表示されてしまい、タイル表示システムを使って本来表示したい画像や映像が表示できないという問題がある。具体的には、タイル表示システムは、多くの場合、多数の人々に対して画像や映像を提供するために設置され、その本来の画像は、多数の人々を対象とする広告映像であったり、何らかの施設や交通路の案内であったり、掲示板などである。タイル表示システムに調整用画像を表示すると、通常表示される画像ではないので、それを見る人々が違和感を抱いたり、調整画像の内容によっては、見る人々が戸惑うことがある。特に、タイル表示システムは大型の表示装置である場合が多く、設置された場所において調整のための表示をその近くにいる人々に見せないということが難しい場合が多いため、このような場面が頻繁に生じる。
【０００５】
本発明は上記問題の少なくともいくつかを解決することを課題とする。
【課題を解決するための手段】
【０００６】
本発明においては、配列された複数の表示装置を備えて一画面を構成する映像表示システムであって、各表示装置は、複数の表示フレームを与える表示データまたは表示信号を受信して、該表示フレームを順次表示することができ、前記表示データまたは表示信号による表示フレームを、複数の表示装置の間の表示特性を調整するための調整用画像フレームに切り替えて、前記表示装置において順次表示される前記表示フレームの系列に前記調整用画像のフレームを埋め込む切替手段を備えている映像表示システムが提供される。
【０００７】
映像表示システムは、複数の表示装置を配列して構成されるタイル表示システムである。この個々の表示装置は、例えば、発光ダイオードを用いたＬＥＤ表示装置、プラズマディスプレイパネル（ＰＤＰ）表示装置、有機ＥＬ表示装置、液晶表示装置、陰極線管（ＣＲＴ）表示装置、フィールドエミッション表示装置、前面投射型表示装置、背面投射型表示装置など、特にその表示方式は問わない。個々の表示装置は、表示内容を観察者に提供する表示部が縦横に隣接するように配列されていて、配列された複数の表示装置の表示部全体によって一体の表示画像が提供される。
【０００８】
表示装置が複数配列されて一つの表示画像（画面）を構成するため、表示装置の表示部は、配列されている位置に応じて、表示画像の一部分を表示する。各表示部にはこの一部分に応じた表示データまたは表示信号が入力される。この表示データまたは表示信号は、順次表示される複数の表示フレームを与えるものである。この表示フレームとは、表示部で表示される映像を時間的にサンプリングした画像データであり、複数の表示フレームによって、表示部は、連続して表示を行い、また、その映像において動画の表示も可能になる。
【０００９】
観察者は、表示内容フレームによって伝達される表示内容を観察している。例えば、表示内容フレームのフレームレートが３０フレーム／秒である場合には、例えば、順次表示される表示内容フレームのうち１秒に１フレームだけ調整用画像フレームを埋め込んでも、観察者は、通常、この調整用画像フレームが認識できないし、その存在も認知できない。この頻度は、表示内容フレームと調整用画像フレームの内容（例えば輝度差、色度差）に依存する。
【００１０】
本発明においては、上記映像表示システムの表示品質を管理する管理システムが提供される。つまり、上述の映像表示システムと、前記映像表示システムに含まれる表示装置の少なくともいくつかの映像を撮影することができる撮像装置と、該撮像装置によって撮影された映像に含まれている調整用画像の撮影フレームを保存するための記憶手段と、該調整用画像の撮影フレームのデータに基づいて診断された各表示装置の表示特性に応じて、各表示装置の設定を制御する制御手段とを含む、映像表示システムの管理システムが提供される。
【００１１】
撮像装置は、例えばＣＣＤ素子を用いたカメラなどである。このＣＣＤ素子は、フレーム単位で対象物からの光を電気信号に変換する。記憶手段は、この撮像装置からの映像をフレーム単位で記録することができるが、ここでは、特に調整用画像が撮影されている撮影フレームを記録して保存する。判定手段は、任意の論理回路によって実現される回路や、プログラムによって機能を実現するＭＰＵによって実現される。ここでの診断は、予め定められた基準に従って調整用画像の撮影フレームのデータから、例えば、輝度の均一性、色の均一性を判定して、必要に応じて、輝度の表示装置ごとの違いや、色の表示装置ごとの違いを検出する処理である。各表示装置の表示部は、表示特性を設定できる。これは、表示部に送る表示データや表示信号それ自体を調整したり、あるいは、表示部の表示特性を制御する信号を調整することにより行うことができる。調整することができる表示の調整項目は、例えば、表示輝度、カラーバランス、ガンマ、同期タイミングなど、用いる表示装置の表示方式および表示データの形式に従って定められる。これにより、映像表示システムに含まれる表示装置の表示特性を均一にして表示品位を高めることができる。
【００１２】
本発明の管理システムにおいては、前記撮影装置は、前記表示装置の表示部が表示する映像フレームに同期してフレームごとに撮影を行うと好適である。
【００１３】
撮影装置が、表示装置の表示部が表示する映像フレームと同期するように撮影を行うと、調整用画像のデータを容易に取得でき、そのデータに従って、映像表示システムに含まれる個々の表示装置の表示特性を診断したり調整することができる。撮影装置を映像フレームと同期させるためには、同期信号を利用したり、あるいは、表示装置が輝度に脈動を有するような場合には、表示輝度の脈動を検知して同期させることができる。
【００１４】
本発明の管理システムにおいて、前記記憶手段にある撮影フレームのデータに所定の画像処理を施す画像処理手段をさらに備えると好適である。画像処理によって、画像から、例えば輝度成分のデータを得たり、Ｒ（赤）、Ｇ（緑）、Ｂ（青）成分等の色成分を得たり、色むらの成分を得たりすることができる。これにより、適切に診断を行って、各表示装置を適切に制御することができる。
【００１５】
本発明のさらに他の態様として、配列された複数の表示装置を備えて一画面を構成する映像表示システムの表示調整方法であって、表示データまたは表示信号を前記映像表示システムによって受信するステップと、映像表示システムが、前記表示データまたは表示信号による表示フレームを、複数の表示装置の間の表示特性を調整するための調整用画像フレームに切り替えて、前記表示装置において順次表示される前記表示フレームの系列に前記調整用画像のフレームを埋め込むステップと、各表示装置によって、調整用画像のフレームが埋め込まれた表示フレームを与える表示データまたは表示信号を受信して、該表示フレームを順次表示するステップと、前記調整用画像フレームを含む映像を撮像装置により撮影するステップと、該撮像装置によって撮影された映像に含まれている前記調整用画像の撮影フレームを記録するステップと、記録された該調整用画像の撮影フレームのデータに基づいて、前記複数の表示装置それぞれの表示特性を診断するステップと、診断した表示特性に応じて、各表示装置の設定を制御するステップとを含む、表示調整方法も提供される。提供される。調整用画像を表示フレームに埋め込むのは、映像表示システムであってもよく、映像表示システムの表示装置であってもよい。
【発明の効果】
【００１６】
本発明においては、調整用画像のフレームを複数の表示フレームに埋め込む切替手段を備えているため、映像を撮影した場合には診断画像による表示特性が確認でき、観察者には診断画像が視認されないような表示が可能となる。これにより、映像表示システムの表示を実質的に続けたまま各表示装置の調整が可能となり、表示の調整を行う際に、観察者に違和感を抱かせたり、観察人を戸惑わせることが防止できる。
【発明を実施するための最良の形態】
【００１７】
［実施の形態１］
図１は本発明のタイル表示システム１を含む管理システム１００の構成を示す説明図である。本実施の形態において、管理システム１００には、タイル表示システム１、撮像記録装置５、タイル表示システム１と撮像記録装置５とが通信可能な通信ネットワーク４が含まれている。また、タイル表示システム１は、配列された複数の表示装置６1〜６Nを含んでおり、さらに表示バス２と表示制御装置３とを含んでいる。表示装置６1〜６Nのそれぞれは、表示されるべき表示データまたは表示信号が配信される表示バス２を介して画像制御装置３に接続されている。画像制御装置３は、通信ネットワーク４に接続されている。
【００１８】
表示制御装置３は、撮像記録装置５に同期信号４Ｓを送る。この同期信号４Ｓは、水平同期信号や垂直同期信号などの、表示データまたは表示信号に順次送信される表示フレームのタイミングを識別できる任意の信号である。表示バス２は、表示装置６1〜６Nのそれぞれにおける表示を調整するための制御信号を通信することも可能である。撮像記録装置５は、外部からの同期信号４Ｓに基づきフレーム単位での画像が記録できるものとすることができ、例えばＣＣＤ撮像素子を登載したビデオカメラを用いて実現することが可能である。
【００１９】
図２は、配列された複数の表示装置６1〜６Nを用いるタイル表示システム１の構造を示す断面図である。タイル表示システム１に用いられる表示装置６1〜６Nのそれぞれには、表示部６Ｐと表示装置制御部７が含まれている。表示装置６1〜６Nは、互いの表示部６Ｐが隣接するように配置されて、一つの表示を実現する。
【００２０】
図３は、本実施形態における通常画像と調整用画像の切替の様子を示した説明図であり、複数の表示データを切り替えて表示する場合を示している。本実施形態の表示データは映像信号をフレーム単位で順次送信される。このフレームのうち、第１フレームＦ1、第３フレームＦ3、第４フレームＦ4が通常画像であり、第２フレームＦ2のみが調整用画像である。通常画像は、入力信号に従って順次表示されるべき表示内容のフレームであり、各フレームによって人々に情報を提供する。タイル表示システム１の表示装置６1〜６Nは、図３のように表示内容フレームのいずれかを調整用画像のフレームに切り替える。この例では、第２フレームＦ2の１フレームだけを、調整用画像を表示するフレームにする。フレームレートが１秒間に２４フレーム以上である場合には、例えば１秒間の２４フレーム中の１フレームだけ連続性のない調整用画像で置き換えても、その画像の内容を観察者２００が認知することはできないし、置き換えられていることも認識できない。なお、本実施の形態では、フレームレートは３０フレーム／秒である。なお、第２フレームＦ2の調整用画像は市松模様によって表現しているが、これは説明を分かりやすくするために用いたものであり、例えば、グレーの均一輝度の表示などの画像を用いることもでき、表示装置の方式や調整項目に即した調整用画像を用いることができる。
【００２１】
図４は、本実施形態のタイル表示システム１の表示を撮像記録装置によって記録した記録画像の様子を示す説明図である。調整用画像は、人間には認知されないが撮像記録装置５には記録される。記録画像ＣＩ1〜ＣＩ4は、それぞれ、同期信号４Ｓに応じて、撮像記録装置５が第１フレームＦ1〜第４フレームＦ4をキャプチャーした画像である。記録画像ＣＩ1〜ＣＩ4には調整用画像のフレームＦ2を記録した記録画像ＣＩ2が含まれている。したがって、キャプチャーされた記録画像ＣＩ2のデータを用いれば、タイル表示システム１の個々の表示装置６1〜６Nの表示部６Ｐが表示した調整用画像によって各表示部６Ｐの表示特性を評価したり診断することが可能となる。
【００２２】
図５は、本発明の実施の形態のタイル表示システム１における表示装置６1〜６Nそれぞれの構成を示すブロック図である。また、図６〜図８は、本発明における個々の表示装置６を動作させる際のデータの流れを示す説明図である。
【００２３】
表示装置６1〜６Nを代表して表示装置６と表記すると、表示装置６は、表示バスインタフェース８、フレームメモリ９、表示切替回路１０を含む。図６は、図３の通常画像（第１フレームＦ1、第３フレームＦ3、第４フレームＦ4）を表示するための表示データの流れを示している。表示バス２からの通常画像の表示データは、表示バスインタフェース８を介してフレームメモリ９へと送られる。表示切替回路１０がフレームメモリ９を選択していると、この表示データは表示部６Ｐへと送られる。
【００２４】
表示装置６は、フレームメモリ１１をさらに含む。図７は、図３の調整用画像（第２フレームＦ2）を表示するための表示データの流れを示している。調整用画像の表示データも表示バス２によって送信されるが、その画像は、調整・診断用フレームメモリ１１に事前に送信されている。そして、その調整用画像のフレームのデータは、表示切替回路１０が調整・診断用フレームメモリ１１を選択していると、表示部６Ｐへと送られる。図７のようにして表示部６Ｐに表示された調整用画像が撮像記録装置５によって撮影され、記録画像ＣＩ2のデータを用いて調整用画像における各表示部６Ｐが評価および診断される。そして、その診断結果に基づいて、表示制御装置３から表示装置制御部７に対して調整のための設定命令が送信される。
【００２５】
表示装置６は、フラッシュメモリ１３、ＭＰＵ（Ｍｉｃｒｏ  Ｐｒｏｃｅｓｓｏｒ  Ｕｎｉｔ）１２、ＲＡＭ（Ｒａｎｄｏｍ  Ａｃｃｅｓｓ  Ｍｅｍｏｒｙ）１４、表示制御信号発生部１５をさらに含む。図８は、調整・診断のための設定命令Ｉ1と、それに応じてＭＰＵ１２から送信される表示制御命令Ｉ2の流れを示す。設定命令Ｉ1は、画像制御装置３から発せられる。ＭＰＵ１２は、その設定命令Ｉ1を受信すると、表示制御信号発生部１５に表示制御命令Ｉ2を送信する。表示装置６の表示特性は、表示制御信号発生部１５によって制御される。また、表示切替回路１０が、フレームメモリ９を選択して表示装置６が通常画像を表示するか、調整・診断用フレームメモリ１１を選択して調整用画像を表示するかも、表示制御信号発生部１５によって制御される。したがって、設定命令Ｉ1と表示制御命令Ｉ2とは、表示制御信号発生部１５におけるこれら制御に対応した命令である。
【００２６】
［実施の形態２］
図９は本発明の他の実施の形態におけるタイル表示システム１´を含む管理システム１００´の構成を示す説明図である。管理システム１００´には、タイル表示システム１´と、ＣＣＤカメラなどの撮像装置１７と、画像評価部１９とが含まれている。また、タイル表示システム１´は、実施形態１のタイル表示システム１と同様に、配列された複数の表示装置６1〜６Nを含んでおり、さらに表示バス２と表示制御装置３´とを含んでいる。管理システム１００´には、制御バス１８を含んでおり、この制御バス１８によって表示制御装置３´が画像評価部１９を制御する。
【００２７】
表示装置６1〜６Nの表示データは、表示制御装置３´から表示バス２を介して送られている。また表示制御装置３´からは画像評価部１９に診断開始信号線１６を通じて診断開始信号１６Ｓが送信される。この診断開始信号１６Ｓは、撮像装置１７が画像を取り込むためのトリガ信号（表示取り込みのためのタイミング信号）となる。画像評価部１９と撮像装置１７とは互いに接続されている。
【００２８】
図１０に本実施の形態における画像評価部１９のブロック図を示し、図１１に表示制御装置３´のブロック図を示す。図１０に示したように、画像評価部１９は、画像評価部フレームメモリ２１、画像評価部ＭＰＵ２２、画像評価部フラッシュメモリ２３、画像評価部ＲＡＭ２４、画像評価部制御バスインターフェース２５、画像取込制御部２６を備える。また、図１１に示したように、表示制御装置３´は、制御バスインターフェース２０、表示制御装置ＭＰＵ２７、表示制御装置フラッシュメモリ２８、表示制御装置ＲＡＭ２９、調整・診断制御部３０、表示バスインターフェース３８を備える。
【００２９】
本実施の形態の動作は、以下のとおりである。まず、診断を行うに当たって、表示制御装置３´が診断開始信号１６Ｓを画像評価部１９へ送信する。この際、表示制御装置３´においては、表示制御装置フラッシュメモリ２８に格納されたプログラムにしたがって、表示制御装置ＭＰＵ２７が、調整・診断制御部３０に診断開始信号１６Ｓを送信させる。このとき、表示データなどを表示バス２へ送る制御も行うので、表示と診断開始信号１６Ｓの同期が取られる。次に、画像評価部１９は、診断開始信号１６Ｓに基づき、撮像装置１７からの画像を画像評価部フレームメモリ２１に取り込む。診断開始信号１６Ｓは表示フレーム単位の同期信号であるため、この信号をもとに画像を取り込めばフレーム単位での画像取得が可能になる。そして、画像評価部フレームメモリ２１に取り込んだ画像に対して、画像評価部ＭＰＵ２２が画像処理を行う。この画像処理は、画像データから輝度データを抽出したり、輝度差を強調する処理、特定の色成分を抽出する処理、色むらを強調する処理などである。
【００３０】
次に、画像処理されたデータに基づいて、その画像を診断し、表示装置６1〜６Nの表示制御信号発生部１５における表示特性の調整量を決定する。この処理は、画像評価部フラッシュメモリ２３に格納された診断プログラムによって、画像評価部ＭＰＵ２２と画像評価部ＲＡＭ２４とによって実現される診断機能によって行うことができる。例えば、輝度データから各表示部の輝度差を判定してその値を予め定めた許容値と比較する処理によって、表示装置毎の輝度差を診断することができる。また、別の例としては、たとえばＲ、Ｇ、Ｂの各色成分ごとのデータから、表示装置ごとの各色成分ごとの輝度差を求めて、色成分ごとに診断することもできる。画像評価部１９には、画像処理後のデータを表示しうる診断用表示装置（図示しない）が備えられていて、その診断用表示装置を診断者に観察させて、診断および調整を行わせてもよい。
【００３１】
画像評価部ＭＰＵ２２が調整量を決定したり、あるいは診断者から調整量についての入力を受け付けると、画像評価部ＭＰＵ２２は、表示装置６1〜６Nの表示特性を制御するための調整データを制御バス１８を介して表示制御装置３´へ送信する。表示制御装置３´は、制御バスインターフェース２０につながる制御バス１８を介してその調整データを受信し、表示制御装置ＭＰＵ２７と表示制御装置ＲＡＭ２９とが、表示制御装置フラッシュメモリ２８に格納されたプログラムにしたがって、設定命令Ｉ1（図８）を生成して、表示バスインターフェース３８を介して表示バス２を通じて表示装置６1〜６Nのそれぞれに送信する。これ以後の動作は実施形態１の場合と同様である。
【００３２】
［実施の形態３］
本発明においてはさらに他の形態において実施される。本実施形態における管理システムの構成は、図９〜図１１の管理システム１００´の構成と同じであり、実施形態１、２との違いは、キャプチャーした画像の画像処理が表示制御装置３´で実行される点である。この場合の動作を以下に示す。
【００３３】
本実施の形態においては、まず、表示制御装置３´が診断開始信号１６Ｓを画像評価部１９へ送信する。表示制御装置３´が表示と診断開始信号１３とを同期させる点は、上記と同様である。次に、画像評価部１９が、診断開始信号１６Ｓに基づき、撮像装置１７からの画像を画像評価部フレームメモリ２１に取り込む点も同様である。
【００３４】
本実施の形態においては、その後、画像評価部フレームメモリ２１に取り込んだ診断・調整用画像データが、画像評価部制御バスインターフェース２５から制御バス１８を介して、表示制御装置３´へ送出する。そして、表示制御装置３´は、診断・調整用画像データを表示制御装置ＲＡＭ２９へ取り込み、画像処理されたデータに基づいて、その画像を診断し、各表示装置６1〜６Nの表示制御信号発生部１５における表示特性の調整量を決定する。この処理を、表示制御装置フラッシュメモリ２８に格納された診断プログラムによって、表示制御装置ＭＰＵ２７と表示制御装置ＲＡＭ２９とによって実現される診断機能によって行うことができる点、表示制御装置３´に、画像処理後のデータを表示しうる診断用表示装置（図示しない）が備えられていて、その診断用表示装置を診断者に観察させて、診断および調整を行わせてもよい点は、実施形態２と同様である。
【００３５】
以上、本発明の実施の形態につき述べたが、本発明は既述の実施の形態に限定されるものではなく、本発明の技術的思想に基づいて各種の変形、変更および組合わせが可能である。
【図面の簡単な説明】
【００３６】
【図１】本発明の実施形態のタイル表示システムを含む管理システムの構成を示す説明図である。
【図２】本発明の実施形態の複数の表示装置を用いる表示装置の構造を示す断面図である。
【図３】本発明の実施形態の複数の表示データを切り替えて表示する場合における通常画像と調整用画像の切替の様子を示した説明図である。
【図４】本発明の実施形態において、切り替えて表示される表示を撮像記録装置によって記録した記録画像の様子を示した説明図である。
【図５】本発明の実施形態のタイル表示システムにおける表示装置それぞれの構成を示すブロック図である。
【図６】本発明の実施形態の個々の表示装置を動作させる際のデータの流れを示す説明図である。
【図７】本発明の実施形態の個々の表示装置を動作させる際のデータの流れを示す説明図である。
【図８】本発明の実施形態の個々の表示装置を動作させる際のデータの流れを示す説明図である。
【図９】本発明の実施形態におけるタイル表示システムを含む管理システムの構成を示す説明図である。
【図１０】本発明の実施形態における画像評価部のブロック図である。
【図１１】本発明の実施形態における表示制御装置のブロック図である。
【符号の説明】
【００３７】
１     タイル表示システム
１Ｐ   表示部
２     表示バス
３     画像制御装置
３     表示制御装置
４     通信ネットワーク
４Ｓ   同期信号
５     撮像記録装置
６     表示装置
６Ｐ   表示部
７     表示装置制御部
８     表示バスインタフェース
９     フレームメモリ
１０   表示切替回路
１１   調整・診断用フレームメモリ
１３   フラッシュメモリ
１５   表示制御信号発生部
１６   診断開始信号線
１６Ｓ 診断開始信号
１７   撮像装置
１８   制御バス
１９   画像評価部
２０   制御バスインターフェース
２１   画像評価部フレームメモリ
２２   画像評価部ＭＰＵ
２３   画像評価部フラッシュメモリ
２４   画像評価部ＲＡＭ
２５   画像評価部制御バスインターフェース
２６   画像取込制御部
２７   表示制御装置ＭＰＵ
２８   表示制御装置フラッシュメモリ
２９   表示制御装置ＲＡＭ
３０   調整・診断制御部
３８   表示バスインターフェース
６1-６N       表示装置
１００ 管理システム
２００ 観察者
ＣＩ1-ＣＩ4   記録画像
Ｆ1-Ｆ4       フレーム
Ｉ1    設定命令
Ｉ2    表示制御命令
【図１】
2007065099.tif 000003
【図２】
2007065099.tif 000004
【図３】
2007065099.tif 000005
【図４】
2007065099.tif 000006
【図５】
2007065099.tif 000007
【図６】
2007065099.tif 000008
【図７】
2007065099.tif 000009
【図８】
2007065099.tif 000010
【図９】
2007065099.tif 000011
【図１０】
2007065099.tif 000012
【図１１】
2007065099.tif 000013